【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  ポリマー、及びその中に分散している改質カーボン生産品を含むポリマー生産品であって、前記改質カーボン生産品が、Ｃ１３以上の炭素数のアルキル基又はポリマー基を有する少なくとも１種の有機基が結合したカーボン生産品を含んでなる、ポリマー生産品。
【請求項２】  ポリマー、及びその中に分散している改質カーボン生産品を含むポリマー生産品であって、前記改質カーボン生産品が、式：−Ａｒ−ＣＯ２−Ｒ、又はＣｎＨ２ｎＣＯ２−Ｒ（Ｒは有機基又はポリマー基）の基が結合したカーボン生産品を含んでなる、ポリマー生産品。
【請求項３】  （ａ）カーボンに直接結合した少なくとも１種の有機基を有するカーボン、
（ｂ）前記有機基に結合した少なくとも１種のイオン基、イオン性基、又はこれらの組み合わせ、
及び（ｃ）前記イオン基又はイオン性基又はこれらの双方に結合している少なくとも１種の、少なくとも１種の有機基、モノマー基若しくはポリマー基を有する対イオン基、少なくとも１種の有機基、モノマー基若しくはポリマー基を有する対イオン性基、又はそれらの混合物、
を含んでなる、改質カーボン生産品。
【請求項４】  ポリマーと、その中に分散している請求項３に記載の改質カーボン生産品を含んでなる、ポリマー生産品。
【請求項５】  ポリマー中に改質カーボン生産品を分散させることを含むポリマー生産品中におけるカーボン生産品の分散性を改良する方法であって、前記改質カーボン生産品が、前記ポリマーに適合する少なくとも１種の有機基又はポリマー基が結合したカーボン生産品を含んでなる、方法。
【請求項６】  ポリマー中に改質カーボン生産品を分散させることを含むポリマー生産品中におけるカーボン生産品の分散性を高める方法であって、前記改質カーボン生産品が、式：−Ａｒ−ＣＯ２−Ｒ、又はＣｎＨ２ｎＣＯ２−Ｒ（Ｒは有機基又はポリマー基）の基が結合したカーボン生産品を含んでなる、方法。
【請求項７】  ポリマー中に請求項３に記載の改質カーボン生産品を分散させることを含む、ポリマー生産品中におけるカーボン生産品の分散性を高める方法であって、前記改質カーボン生産品が前記ポリマーに適合性である、方法。
【手続補正２】
【補正対象書類名】明細書
【補正対象項目名】００７２
【補正方法】変更
【補正の内容】
【００７２】
本発明の別な態様は、本願で開示した説明と実施例の考察から当業者には明らかであろう。この説明と実施例は、代表的なものに過ぎなく、本発明の範囲と技術的思想は、請求の範囲に示されているものと理解されたい。
本発明の実施態様としては下記の実施態様を挙げることができる：
（実施態様１）ポリマー、及びその中に分散された改質カーボン生産品を含むポリマー生産品であって、前記改質カーボン生産品が、Ｃ１３以上の炭素数のアルキル基又はポリマー基を有する少なくとも１種の有機基が結合したカーボン生産品を含んでなるポリマー生産品。
（実施態様２）前記有機基が芳香族基又は第２アルキル基をさらに有する、実施態様１に記載のポリマー生産品。
（実施態様３）前記有機基がイオン基又はイオン性基を含む、実施態様１に記載のポリマー生産品。
（実施態様４）前記有機基が、（ａ）少なくとも１種の芳香族基、及び（ｂ）少なくとも１種のイオン基、少なくとも１種のイオン性基、又はこれらの組み合わせを含み、前記芳香族基がカーボン生産品に直接結合した、実施態様１に記載のポリマー生産品。
（実施態様５）前記有機基が、（ａ）Ｃ１３〜Ｃ１００アルキル基、及び（ｂ）少なくとも１種のイオン基、少なくとも１種のイオン性基、又はこれらの組み合わせを含み、前記Ｃ１３〜Ｃ１００アルキル基がカーボン生産品に直接結合した、実施態様１に記載のポリマー生産品。
（実施態様６）前記有機基が、オレフィン基、スチレン基、アクリレート基、アミド基、エステル基、又はこれらの組み合わせである、実施態様１に記載のポリマー生産品。
（実施態様７）前記ポリマー基が、ポリオレフィン基、ポリスチレン基、ポリアクリレート基、ポリアミド基、ポリエステル基、又はこれらの組み合わせである、実施態様１に記載のポリマー生産品。
（実施態様８）前記有機基が、−Ａｒ−ＣＯ２（ＣｍＨ２ｍ＋１）、ｍ＝０〜約２０−Ａｒ−（ＣｎＨ２ｎ＋１）、ｎ＝１〜約５０−Ａｒ−ＣｐＨ２ｐＡｒ−、ｐ＝１〜約１０−Ａｒ−ＣＸ３、Ｘはハロゲン原子−Ａｒ−Ｏ−ＣＸ３、Ｘはハロゲン原子−Ａｒ−ＳＯ３−、−Ａｒ−ＳＯ２（ＣｑＨ２ｑ＋１）、ｑ＝２〜約１０−Ａｒ−Ｓ２−Ａｒ−ＮＨ２、−Ａｒ−Ｓ２−Ａｒ−、−ＡｒＳＯ２Ｈ、又はこれらの組み合わせ、を含む、実施態様１に記載のポリマー生産品。
（実施態様９）前記有機基が、−Ａｒ−ＳＯ３−と−Ａｒ−（ＣｎＨ２ｎ＋１）、ｎ＝１〜約５０−Ａｒ−Ｓ２−Ａｒ−ＮＨ２と−Ａｒ−ＣｐＨ２ｐＡｒ−、ｐ＝１〜約１０−Ａｒ−Ｓ２−Ａｒ−、−Ａｒ−ＣｐＨ２ｐＡｒ−、ｐ＝１〜約１０、又は少なくとも２種の異なる−Ａｒ−ＣＯ２（ＣｍＨ２ｍ＋１）、ｍ＝０〜約２０を含む、実施態様１に記載のポリマー生産品。
（実施態様１０）前記イオン基又はイオン性基が、カルボン酸又はその塩、スルホン酸又はその塩、第４アンモニウム塩、スルホンアミド又はその塩、又はＳＯ２ＮＨＣＯＲ又はその塩（ＲはＣ１〜Ｃ２０アルキル基、フェニル基、又はこれらの組み合わせ）を含む、実施態様３に記載のポリマー生産品。
（実施態様１１）前記−Ａｒ−（ＣｎＨ２ｎ＋１）が枝分かれアルキルである、実施態様８に記載のポリマー生産品。
（実施態様１２）前記−Ａｒ−（ＣｎＨ２ｎ＋１）が線状である、実施態様８に記載のポリマー生産品。
（実施態様１３）ｎ＝４であり、ＣｎＨ２ｎ＋１が枝分かれした、実施態様８に記載のポリマー生産品。
（実施態様１４）前記カーボン生産品が、カーボンブラック、グラファイト、ガラス質カーボン、微細に分割されたカーボン、炭素繊維、活性チャーコール、活性炭、又はこれらの組み合わせである、実施態様１に記載のポリマー生産品。
（実施態様１５）前記カーボン生産品がカーボンブラックである、実施態様１に記載のポリマー生産品。
（実施態様１６）前記ポリマー生産品がマスターバッチの形態である、実施態様１に記載のポリマー生産品。
（実施態様１７）ポリマー、及びその中に分散された改質カーボン生産品を含むポリマー生産品であって、前記改質カーボン生産品が、式：−Ａｒ−ＣＯ２−Ｒ、又はＣｎＨ２ｎＣＯ２−Ｒ（Ｒは有機基又はポリマー基）を有する基が結合したカーボン生産品を含んでなるポリマー生産品。
（実施態様１８）前記Ｒが有機基である、実施態様１７に記載のポリマー生産品。
（実施態様１９）前記Ｒがポリマー基である、実施態様１７に記載のポリマー生産品。
（実施態様２０）前記有機基がアルキル基である、実施態様１７に記載のポリマー生産品。
（実施態様２１）前記有機基がアリール基である、実施態様１７に記載のポリマー生産品。
（実施態様２２）前記有機基がアラルキル基又はアルキルアリール基である、実施態様１７に記載のポリマー生産品。
（実施態様２３）前記有機基が、オレフィン基、スチレン基、アクリレート基、アミド基、エステル基、又はこれらの組み合わせである、実施態様１７に記載のポリマー生産品。
（実施態様２４）前記ポリマー基が、ポリオレフィン基、ポリスチレン基、ポリアクリレート基、ポリアミド基、ポリエステル基、又はこれらの組み合わせである、実施態様１７に記載のポリマー生産品。
（実施態様２５）前記有機基がＣ１〜Ｃ１００アルキル基を含む、実施態様１７に記載のポリマー生産品。
（実施態様２６）前記有機基がＣ２０〜Ｃ６０アルキル基を含む、実施態様１７に記載のポリマー生産品。
（実施態様２７）前記ポリマー生産品がマスターバッチである、実施態様１７に記載のポリマー生産品。
（実施態様２８）前記カーボン生産品が、カーボンブラック、グラファイト、ガラス質カーボン、微細に分割されたカーボン、炭素繊維、活性チャーコール、活性炭、又はこれらの組み合わせである、実施態様１７に記載のポリマー生産品。
（実施態様２９）前記カーボン生産品がカーボンブラックである、実施態様１７に記載のポリマー生産品。
（実施態様３０）（ａ）カーボンに直接結合した少なくとも１種の有機基を有するカーボン、
（ｂ）前記有機基に結合した少なくとも１種のイオン基、イオン性基、又はこれらの組み合わせ、及び
（ｃ）前記イオン基又はイオン性基又はこれらの双方に結合している少なくとも１種の、少なくとも１種の有機基、モノマー基若しくはポリマー基の対イオン基、少なくとも１種の有機基、モノマー基若しくはポリマー基の対イオン性基、又はそれらの混合物、
を含んでなる、改質カーボン生産品。
（実施態様３１）前記モノマー基が、オレフィン基、スチレン基、アクリレート基、アミド基、エステル基、又はこれらの組み合わせである、実施態様３０に記載の改質カーボン生産品。
（実施態様３２）前記ポリマー基が、ポリオレフィン基、ポリスチレン基、ポリアクリレート基、ポリアミド基、ポリエステル基、又はこれらの組み合わせである、実施態様３０に記載の改質カーボン生産品。
（実施態様３３）カーボン生産品に結合した前記有機基が、カーボン生産品に直接結合したＣ１３〜Ｃ１００アルキル基を含んでなる、実施態様３０に記載の改質カーボン生産品。
（実施態様３４）前記カーボン生産品に結合した有機基が、カーボン生産品に直接結合した芳香族基を含んでなる、実施態様３０に記載の改質カーボン生産品。
（実施態様３５）前記カーボンに結合した有機基が、カーボンに直接結合したアラルキル基又はアルキルアリール基を含んでなる、実施態様３０に記載の改質カーボン生産品。
（実施態様３６）前記イオン基又はイオン性基が、カルボン酸又はその塩、スルホン酸又はその塩、第４アンモニウム塩、スルホンアミド又はその塩、又はＳＯ２ＮＨＣＯＲ又はその塩（ＲはＣ１〜Ｃ２０アルキル基、フェニル基、又はこれらの組み合わせ）である、実施態様３０に記載の改質カーボン生産品。
（実施態様３７）前記対イオン基又は対イオン性基が、窒素ベース基又は燐ベース基である、実施態様３０に記載の改質カーボン生産品。
（実施態様３８）前記イオン基又はイオン性基がスルホネート基であり、前記対イオン基又はイオン性基が窒素ベース基又は燐ベース基である、実施態様３０に記載の改質カーボン生産品。
（実施態様３９）前記対イオン基又はイオン性基の有機がＣ１〜Ｃ５０アルキル基である、実施態様３０に記載の改質カーボン生産品。
（実施態様４０）前記対イオン基又はイオン性基の有機基ががＣ１〜Ｃ２０アルキル基である、実施態様３０に記載の改質カーボン生産品。
（実施態様４１）前記有機基がオレイル基である、実施態様３０に記載の改質カーボン生産品。
（実施態様４２）前記有機基がオレイル基、リノレイル基、リノレニル基、又はこれらの組み合わせである、実施態様３０に記載の改質カーボン生産品。
（実施態様４３）前記有機基が２−ジテトラデシルグルタレート又はヘキサデシルである、実施態様３０に記載の改質カーボン生産品。
（実施態様４４）前記カーボン生産品が、カーボンブラック、グラファイト、ガラス質カーボン、微細に分割されたカーボン、炭素繊維、活性チャーコール、活性炭、又はこれらの組み合わせである、実施態様３０に記載の改質カーボン生産品。
（実施態様４５）前記カーボン生産品がカーボンブラックである、実施態様３０に記載の改質カーボン生産品。
（実施態様４６）ポリマーと、その中に分散している実施態様３０に記載の改質カーボン生産品を含んでなるポリマー生産品。
（実施態様４７）前記ポリマー生産品がマスターバッチである、実施態様４６に記載のポリマー生産品。
（実施態様４８）ポリマーと、実施態様３１〜４５のいずれか１項に記載の改質カーボン生産品を含んでなるポリマー生産品。
（実施態様４９）ポリマーと、実施態様４２に記載の改質カーボン生産品を含んでなるポリマー生産品。
（実施態様５０）ポリマーと、実施態様４５に記載の改質カーボン生産品を含んでなるポリマー生産品。
（実施態様５１）前記ポリマー生産品がマスターバッチである、実施態様５０に記載のポリマー生産品。
（実施態様５２）前記イオン基又はイオン性基がアニオン基であり、前記対イオン基又は対イオン性基がカチオン基である、実施態様３０に記載の改質カーボン生産品。
（実施態様５３）前記イオン基又はイオン性基がカチオン基であり、前記対イオン基又は対イオン性基がアニオン基である、実施態様３０に記載の改質カーボン生産品。
（実施態様５４）前記イオン基又はイオン性基が、カルボン酸又はその塩、スルホン酸又はその塩、第４アンモニウム塩、スルホンアミド又はその塩、又はＳＯ２ＮＨＣＯＲ又はその塩（ＲはＣ１〜Ｃ２０アルキル基、フェニル基、又はこれらの組み合わせ）である、実施態様３０に記載の改質カーボン生産品。
（実施態様５５）前記対イオン基又は対イオン性基が、窒素ベース基又は燐ベース基である、実施態様３０に記載の改質カーボン生産品。
（実施態様５６）ポリマー中に改質カーボン生産品を分散させることを含むポリマー生産品中のカーボン生産品の分散を改良する方法であって、前記改質カーボン生産品が、前記ポリマーに適合する少なくとも１種の有機基又はポリマー基が結合したカーボン生産品を含んでなる方法。
（実施態様５７）ポリマー中に改質カーボン生産品を分散させることを含むポリマー生産品中のカーボン生産品の分散を高める方法であって、前記改質カーボン生産品が、式：−Ａｒ−ＣＯ２−Ｒ、又はＣｎＨ２ｎＣＯ２−Ｒ（Ｒは有機基又はポリマー基）を有する基が結合したカーボン生産品を含んでなる方法。
（実施態様５８）ポリマー中に、実施態様３０に記載の改質カーボン生産品を分散させることを含む、ポリマー生産品中のカーボン生産品の分散を高める方法であって、前記改質カーボン生産品が前記ポリマーに適合性である分散方法。
（実施態様５９）前記カーボン生産品が、炭素相とケイ素含有種相を含む凝集体である、実施態様１〜１３、及び実施態様１６〜２７のいずれか１項に記載のポリマー生産品。
（実施態様６０）前記カーボン生産品が炭素相と金属含有種相を含む凝集体、又は前記カーボン生産品がシリカ被覆カーボンブラックである、実施態様１〜１３、及び実施態様１６〜２７のいずれか１項に記載のポリマー生産品。
（実施態様６１）前記カーボン生産品が、炭素相とケイ素含有種相を含む凝集体である、実施態様３０〜４３のいずれか１項に記載の改質カーボン生産品。
（実施態様６２）前記カーボン生産品が炭素相と金属含有種相を含む凝集体、又は前記カーボン生産品がシリカ被覆カーボンブラックである、実施態様３０〜４３のいずれか１項に記載の改質カーボン生産品。
（実施態様６３）ポリマーと、実施態様６１に記載の改質カーボン生産品を含んでなるポリマー生産品。
（実施態様６４）ポリマーと、実施態様６２に記載の改質カーボン生産品を含んでなるポリマー生産品。